(57)【特許請求の範囲】
【請求項１】
鉄筋コンクリート造もしくは鉄骨鉄筋コンクリート造の既存建物の外側面に沿わせて複数の補強用柱と複数の補強用梁からなる耐震補強用骨組を構築し、
前記耐震補強用骨組を前記既存建物に連結し地震時に前記既存建物に作用する水平力を前記耐震補強用骨組に負担させ、もって前記既存建物を耐震補強するようにした建物耐震補強構造であって、
前記既存建物の外側面は、大きな採光面積が確保された既存建物の正面であり、
前記複数の補強用柱が、前記正面に位置する複数の柱に対向する箇所に設けられると共に、前記複数の補強用梁が、前記正面に位置する複数の梁に対向する箇所に設けられることで、耐震補強用骨組は前記既存建物の採光面積をそのまま確保しており、
前記耐震補強用骨組を支持体として前記既存建物の室内の温熱環境または光環境を改善する環境改善装置が設けられ、
前記複数の補強用柱のうちの少なくとも一つは、前記補強用梁との接合部に設けられるダイアフラムに孔があけられ、または、外ダイアフラム形式で前記補強用梁と接合されることで、その内部が上下に連通すると共に換気路を介して各階内に連通され、太陽熱により温められることでその内部に上昇気流が生じ各階内の空気を吸引して上端から排出するソーラーチムニーとして機能する鋼管柱として構成され、
前記環境改善装置は前記鋼管柱を含んで構成されている、
ことを特徴とする建物耐震補強構造。
【請求項２】
鉄筋コンクリート造もしくは鉄骨鉄筋コンクリート造の既存建物の外側面に沿わせて複数の補強用柱と複数の補強用梁からなる耐震補強用骨組を構築し、
前記耐震補強用骨組を前記既存建物に連結し地震時に前記既存建物に作用する水平力を前記耐震補強用骨組に負担させ、もって前記既存建物を耐震補強するようにした建物耐震補強構造であって、
前記既存建物の外側面は、窓が設けられることで大きな採光面積が確保された既存建物の正面であり、
前記複数の補強用柱は、前記正面に位置する複数の柱に対向する箇所に設けられると共に、前記複数の補強用梁は、前記正面に位置する複数の梁に対向する箇所に設けられ、
前記既存建物の前記窓の下方の正面の箇所に換気口が設けられ、
前記耐震補強用骨組を支持体として前記既存建物の室内の温熱環境または光環境を改善する環境改善装置が設けられ、
隣り合う前記補強用柱と前記補強用梁とで仕切られる空間の前面に多数のガラス板が配置されてガラスカーテンウォールが形成され、あるいは、前記空間の前面にサッシを介してガラス板が組み込まれ、隣り合う前記補強用柱と前記補強用梁の内側で前記既存建物の正面とそれらガラスカーテンウォールあるいはガラス板により単一の空間が各階毎に仕切られると共に前記単一の空間の上部と下部に位置する前記ガラスカーテンウォールあるいはガラス板の箇所にそれぞれ換気口が設けられたダブルスキンが形成され、
前記環境改善装置は、前記ダブルスキンを含んで構成されている、
ことを特徴とする建物耐震補強構造。
【請求項３】
鉄筋コンクリート造もしくは鉄骨鉄筋コンクリート造の既存建物の外側面に沿わせて複数の補強用柱と複数の補強用梁からなる耐震補強用骨組を構築し、
前記耐震補強用骨組を前記既存建物に連結し地震時に前記既存建物に作用する水平力を前記耐震補強用骨組に負担させ、もって前記既存建物を耐震補強するようにした建物耐震補強構造であって、
前記既存建物の外側面は、ガラス板が設けられることで大きな採光面積が確保された既存建物の正面であり、
前記複数の補強用柱が、前記正面に位置する複数の柱に対向する箇所に設けられると共に、前記複数の補強用梁が、前記正面に位置する複数の梁に対向する箇所に設けられることで、耐震補強用骨組は前記既存建物の採光面積をそのまま確保しており、
前記耐震補強用骨組を支持体として前記既存建物の室内の温熱環境または光環境を改善する環境改善装置が設けられ、
隣り合う前記補強用柱の間で前記既存建物の正面のガラス板の上縁から下方に下がった箇所に、太陽光を反射させてそれぞれ前記正面に面する各部屋に太陽光を導き照明光として利用する反射面を有するライトシェルフが配置され、
前記ライトシェルフは、前記反射面を上方に向け昼光を各部屋に導く使用位置と、前記反射面を部屋側に向け昼光の部屋内への侵入を阻止する非使用位置との間で傾動調節可能に設けられ、
前記環境改善装置は、前記ライトシェルフを含んで構成されている、
ことを特徴とする建物耐震補強構造。
【発明の詳細な説明】
【技術分野】
【０００１】
本発明は、環境改善装置を備える建物耐震補強構造に関する。
【背景技術】
【０００２】
耐震改修の手法として、建物の外側面に対して骨組みを付加することで既存の建物の骨組みを補強する手法が広く用いられている。耐震改修工事は費用がかかる一方で、地震が発生しなければ効力を発揮しないため、そのメリットが明確になりにくい。
また、耐震改修の工事期間を利用して建物内部の温熱環境の改善のために空調設備更新や窓・壁に対する改修を行うこともある。例えば、ソーラーチムニーを設置して自然換気通風を図る場合、ダブルスキンを設置して断熱性能の向上、自然換気通風を図る場合、壁面に植物を設置して壁面緑化を図る場合、ライトシェルフを設置して昼光を室内の照明光として利用する場合などが挙げられる。
【先行技術文献】
【特許文献】
【０００３】
特開２００６−２３９５号公報  
特開２００６−２２２０１１号公報  
特開２００８−２４８５９２号公報  
特開２００９−１３３５２６号公報  
特開２０１０−１６１９９５号公報  
【発明の概要】
【発明が解決しようとする課題】
【０００４】
しかしながら、ソーラーチムニーを新たに設けるためには、新たな鋼管を立設することが必要となり、コストおよび工期が掛かる。また、ダブルスキンを新たに設置するためには、ガラスを支持するための骨組みを構築することが必要で、コストおよび工期が掛かる。また、新たに壁面緑化を図るには、壁面に、植物を支持するための金物を複数取り付けていくことが必要で、コストおよび工期が掛かる。また、ライトシェルフを新たに設置するには、壁面にライトシェルフを支持するための頑強な支持部材を取り付けることが必要で、コストおよび工期が掛かる。
本発明は、耐震補強用骨組を利用することでコストの削減化、工期の短縮化を図りつつ環境改善装置を構築でき、耐震補強工事と環境改善工事を同時に行なえ、既存建物の商品価値を高めることができる建物耐震補強構造を提供することにある。
【課題を解決するための手段】
【０００５】
前記目的を達成するため請求項１記載の発明は、鉄筋コンクリート造もしくは鉄骨鉄筋コンクリート造の既存建物の外側面に沿わせて複数の補強用柱と複数の補強用梁からなる耐震補強用骨組を構築し、前記耐震補強用骨組を前記既存建物に連結し地震時に前記既存建物に作用する水平力を前記耐震補強用骨組に負担させ、もって前記既存建物を耐震補強するようにした建物耐震補強構造であって、前記既存建物の外側面は、大きな採光面積が確保された既存建物の正面であり、前記複数の補強用柱が、前記正面に位置する複数の柱に対向する箇所に設けられると共に、前記複数の補強用梁が、前記正面に位置する複数の梁に対向する箇所に設けられることで、耐震補強用骨組は前記既存建物の採光面積をそのまま確保しており、前記耐震補強用骨組を支持体として前記既存建物の室内の温熱環境または光環境を改善する環境改善装置が設けられ、前記複数の補強用柱のうちの少なくとも一つは、前記補強用梁との接合部に設けられるダイアフラムに孔があけられ、または、外ダイアフラム形式で前記補強用梁と接合されることで、その内部が上下に連通すると共に換気路を介して各階内に連通され、太陽熱により温められることでその内部に上昇気流が生じ各階内の空気を吸引して上端から排出するソーラーチムニーとして機能する鋼管柱として構成され、前記環境改善装置は前記鋼管柱を含んで構成されていることを特徴とする。
また、請求項２記載の発明は、鉄筋コンクリート造もしくは鉄骨鉄筋コンクリート造の既存建物の外側面に沿わせて複数の補強用柱と複数の補強用梁からなる耐震補強用骨組を構築し、前記耐震補強用骨組を前記既存建物に連結し地震時に前記既存建物に作用する水平力を前記耐震補強用骨組に負担させ、もって前記既存建物を耐震補強するようにした建物耐震補強構造であって、前記既存建物の外側面は、窓が設けられることで大きな採光面積が確保された既存建物の正面であり、前記複数の補強用柱は、前記正面に位置する複数の柱に対向する箇所に設けられると共に、前記複数の補強用梁は、前記正面に位置する複数の梁に対向する箇所に設けられ、前記既存建物の前記窓の下方の正面の箇所に換気口が設けられ、前記耐震補強用骨組を支持体として前記既存建物の室内の温熱環境または光環境を改善する環境改善装置が設けられ、隣り合う前記補強用柱と前記補強用梁とで仕切られる空間の前面に多数のガラス板が配置されてガラスカーテンウォールが形成され、あるいは、前記空間の前面にサッシを介してガラス板が組み込まれ、隣り合う前記補強用柱と前記補強用梁の内側で前記既存建物の正面とそれらガラスカーテンウォールあるいはガラス板により単一の空間が各階毎に仕切られると共に前記単一の空間の上部と下部に位置する前記ガラスカーテンウォールあるいはガラス板の箇所にそれぞれ換気口が設けられたダブルスキンが形成され、前記環境改善装置は、前記ダブルスキンを含んで構成されていることを特徴とする。
また、請求項３記載の発明は、鉄筋コンクリート造もしくは鉄骨鉄筋コンクリート造の既存建物の外側面に沿わせて複数の補強用柱と複数の補強用梁からなる耐震補強用骨組を構築し、前記耐震補強用骨組を前記既存建物に連結し地震時に前記既存建物に作用する水平力を前記耐震補強用骨組に負担させ、もって前記既存建物を耐震補強するようにした建物耐震補強構造であって、前記既存建物の外側面は、ガラス板が設けられることで大きな採光面積が確保された既存建物の正面であり、前記複数の補強用柱が、前記正面に位置する複数の柱に対向する箇所に設けられると共に、前記複数の補強用梁が、前記正面に位置する複数の梁に対向する箇所に設けられることで、耐震補強用骨組は前記既存建物の採光面積をそのまま確保しており、前記耐震補強用骨組を支持体として前記既存建物の室内の温熱環境または光環境を改善する環境改善装置が設けられ、隣り合う前記補強用柱の間で前記既存建物の正面のガラス板の上縁から下方に下がった箇所に、太陽光を反射させてそれぞれ前記正面に面する各部屋に太陽光を導き照明光として利用する反射面を有するライトシェルフが配置され、前記ライトシェルフは、前記反射面を上方に向け昼光を各部屋に導く使用位置と、前記反射面を部屋側に向け昼光の部屋内への侵入を阻止する非使用位置との間で傾動調節可能に設けられ、前記環境改善装置は、前記ライトシェルフを含んで構成されていることを特徴とする。
【発明の効果】
【０００６】
本発明によれば、耐震補強用骨組を支持体として環境改善装置を設けるので、コストの削減化、工期の短縮化を図りつつ環境改善装置を構築できる。また、耐震補強構造は環境改善装置を備えるので、地震が発生しない場合にもその環境改善装置の恩恵が受けられ、既存建物の商品価値を高めることができる。
【図面の簡単な説明】
【０００７】
【図１】既存建物の斜視図である。
【図２】既存建物に耐震補強用骨組を連結した斜視図である。
【図３】既存建物に耐震補強用骨組を連結した斜視図である。
【図４】耐震補強用骨組を利用してソーラーチムニーを設けた斜視図である。
【図５】耐震補強用骨組を利用してソーラーチムニーを設けた斜視図である。
【図６】ソーラーチムニーの動作説明図である。
【図７】ソーラーチムニーを構成する鋼管柱の一部破断図である。
【図８】耐震補強用骨組を利用してカーテンウォールを設けた斜視図である。
【図９】耐震補強用骨組を利用してガラス板を嵌め込んだ斜視図である。
【図１０】ダブルスキンの説明図である。
【図１１】ダブルスキンの説明図である。
【図１２】耐震補強用骨組を利用して植栽領域を設けた斜視図である。
【図１３】植栽領域の説明図である。
【図１４】植栽領域の説明図である。
【図１５】ライトシェルフの説明図である。
【発明を実施するための形態】
【０００８】
以下に本発明の実施の形態について、添付図面を参照しつつ詳細に説明する。
図１に示す既存建物１０は、鉄筋コンクリート造（ＲＣ造）ラーメン構造の２階建ての建物である。この既存建物１０は、既存柱である鉄筋コンクリート柱（ＲＣ柱）と、既存梁である鉄筋コンクリート梁（ＲＣ梁）とから成るＲＣ架構を有している。
この例では既存建物１０は４つの外側面を有しており、そのうちの一つの外側面は、ガラス板を有し、大きな採光面積が確保された正面１０Ａとなっており、外側面のうちの他の一つは正面１０Ａの反対側に位置する背面となっており、残りの二つ外側面は側面となっている。
【０００９】
図２、図３に示すように、耐震補強用骨組１２は、既存建物１０の正面１０Ａに沿わせて構築されている。
図２に示す耐震補強用骨組１２は、補強用柱１４と補強用梁１６とを含んで構成され、図３に示す耐震補強用骨組１２は、補強用柱１４と補強用梁１６に加え斜材１８を含んで構成されている。
補強用柱１４と補強用梁１６とは、既存建物１０の採光面積がそのまま確保されるように、既存建物１０の正面１０Ａに位置する既存柱と既存梁に対向する箇所に設けられている。図２、図３に示す耐震補強用骨組１２の補強用柱１４は、既存建物１０の正面１０Ａの両側の既存柱に対向させて２本設けられている。
耐震補強用骨組１２は既存建物１０に連結され地震時に既存建物１０に作用する水平力を耐震補強用骨組１２に負担させ、もって既存建物１０を耐震補強するものである。
そして、この耐震補強用骨組１２を支持体として既存建物１０の室内の温熱環境または光環境を改善する環境改善装置が設けられている。
【００１０】
図４、図５に示す実施の形態では、環境改善装置は、ソーラーチムニー（太陽熱を利用した重力換気用煙突）である。
図４に示す実施の形態では、２本の補強用柱１４の双方は、図６に示すように、その内部が上下に連通すると共に、換気路２０を介して各階内に連通され、太陽熱により温められることでその内部に上昇気流が生じ各階内の空気を吸引して上端開口２２から排出するソーラーチムニーとして機能する鋼管柱２４として構成されている。したがって、環境改善装置は鋼管柱２４を含んで構成されている。
図５に示す実施の形態では、耐震補強用骨組が、図２に示す耐震補強用骨組１２の両側の２本の補強用柱１４の中央に配置された補強用柱１４をさらに備えており、補強用柱１４は既存柱に対向した箇所に位置し、補強用柱１４が鋼管柱２４からなるソーラーチムニーとして構成されている。
通常の鋼管柱２４は、梁との接合部にあるダイアフラムで鋼管の中の空間が仕切られているが、図７に示すように、ダイアフラム２６の中央に孔２８をあけるか、外ダイアフラム形式とすることで、上階の柱まで通じた空間となり空気が流れ、ソーラーチムニーとして機能する。
【００１１】
このような構成によれば、太陽熱を利用した自然の力により、例えば、鋼管柱２４の内部に空気の上方への流れが生じ、この流れにより換気路２０を介して室内の空気が鋼管柱２４の内部に引き込まれ、室内の換気が行なわれる。あるいは、鋼管柱２４の内部に室内の空気を引き込むことで、不図示の換気路を介して地下ピットから空気を引き込んだ新鮮で冷涼な空気を室内に取り込んだりすることができる。したがって、夏季に冷房負荷を低減し、少エネを図ることが可能となる。
また、ソーラーチムニー（太陽熱を利用した重力換気用煙突）をわざわざ設置することなく、ソーラーチムニーを構成する鋼管柱２４は耐震補強用骨組１２を構築する際に同時に構築されるため、ソーラーチムニーを極めて容易に安価に設置でき、環境改善装置のコストの低減化を図る上で有利となる。
したがって、耐震補強と同時にソーラーチムニーを構築でき、室内の換気性を向上して居住性を高め、集合住宅としての商品価値も高めることが可能となる。
【００１２】
次に、図８、図９に示す実施の形態について説明する。
図８、図９に示す実施の形態では、耐震補強用骨組１２は図２に示すように既存建物１０の正面１０Ａに沿わせて構築され、耐震補強用骨組１２は正面１０Ａに位置する複数の柱に対向する箇所に設けられ補強用柱１４と、正面１０Ａに位置する複数の梁に対向する箇所に設けられた補強用梁１６とで構成されている。
また、図８に示すように、複数の補強用柱１４と補強用梁１６とで仕切られる空間の前面に多数のガラス板が配置されてガラスカーテンウォール３０が形成され、あるいは、図９に示すように、複数の補強用柱１４と補強用梁１６とで仕切られる空間の前面にサッシを介してガラス板３２が組み込まれ、既存建物１０の正面１０Ａとそれらガラスカーテンウォール３０、ガラス板３２によりダブルスキンが形成されている。そして、ダブルスキンにより、断熱性能の向上が図られ、自然換気通風が図られている。
【００１３】
図８、図９に示す例では、図１０に示すように、既存建物１０の正面１０Ａとガラスカーテンウォール３０（あるいはガラス板３２）により形成される空間３４が各階毎に仕切られる。
そして、各階において、夏季には、空間３４内で暖められた空気がガラスカーテンウォール３０（あるいはガラス板３２）の上部の換気口３６から外部に放出され、これによりガラスカーテンウォール３０（あるいはガラス板３２）の下部の換気口３８から外気が空間３４内に導かれ、また、室内の空気が窓４０の下方の換気口４２から空間３４内に導かれ、室内の換気が行なわれることで冷房負荷が軽減される。
また、冬季には、図１１に示すように、ガラスカーテンウォール３０（あるいはガラス板３２）の上部の換気口３６がダンパー４４で閉じられ、空間３４内で暖められた空気が窓４０から室内に導かれ、これにより室内の冷たい空気が下方の換気口４２から空間３４内に導かれると共に、ガラスカーテンウォール３０（あるいはガラス板３２）の下部の換気口３８から外気が空間３４内に導かれ、暖房負荷が軽減される。
なお、ダブルスキンの換気構造は、上記のように各階毎に行なわずに、空間３４を全階にわたって連通させ、最も下位の階の空間３４の下部と、最も上位の階の空間３４の上部とにそれぞれ換気口を設け、各階の換気を行なうようにしてもよい。
【００１４】
このような構成によれば、断熱性能の向上と自然換気通風が図られ、夏季に冷房負荷を低減し、冬季には暖房負荷を低減し、少エネを図ることが可能となる。
また、ガラス板やガラスカーテンウォールを新規に設置する場合と異なり、耐震補強用骨組１２を利用してそれらガラスカーテンウォール３０やガラス板３２を設置できるので、容易に安価にダブルスキンを構築でき、環境改善装置のコストの低減化を図る上で有利となる。
したがって、耐震補強と同時にダブルスキンを構築でき、室内の換気性を向上して居住性を高め、集合住宅としての商品価値も高めることが可能となる。
【００１５】
次に、図１２に示す実施の形態について説明する。
図１２に示す実施の形態では、耐震補強用骨組１２は図２に示すように既存建物１０の正面１０Ａに沿わせて構築され、耐震補強用骨組１２は正面１０Ａに位置する複数の柱に対向する箇所に設けられ補強用柱１４と、正面１０Ａに位置する複数の梁に対向する箇所に設けられた補強用梁１６とで構成されている。
そして、図１２乃至図１４に示すように、既存建物１０と補強用梁１６との間に水平面上を延在する載置部４６が設けられている。
載置部４６は、例えば、既存建物１０の正面１０Ａに位置する既存梁と補強用梁１６との間に施工したコンクリートスラブや、既存梁と補強用梁１６との間に敷設した複数のプレキャストコンクリート板などで構成するなど、従来公知の様々な構造が採用可能である。
載置部４６上に、日陰を生じさせる植物が栽培される植栽領域４８が設けられている。
植栽領域４８は、載置部４６上に土壌槽をおき、土壌槽に収容した土壌で植物を栽培してもよく、あるいは、植木鉢を用いるなど任意であり、従来公知の様々な植栽方法が採用可能である。
図１２に示す実施の形態では、環境改善装置は植栽領域４８を含んで構成されている。
【００１６】
このような構成によれば、従来の壁面緑化の際に設置される金物を用いることなく、既存建物１０の正面１０Ａで植物を確実に支持でき、安定した状態で植物を植栽できる。
また、従来の壁面緑化の際に設置される金物はその大きさに制限を受けるため、大型の植物を配置することができなかったが、このような構成によれば、耐震補強用骨組１２を構築する際に載置部４６を追加するといった簡単で安価な構成により大型の植物を支持でき、配置することが可能となる。
したがって、耐震補強と同時に、各種大型、小型の植物により安らぎ感を与えて居住性を向上でき、また、夏季には日陰を作って正面１０Ａに面する部屋の温度上昇を抑制することが可能となり、また、図１４に示すように、冬季に葉が落ちる植物を設置することで冬季には採光でき正面１０Ａに面する部屋の温度低下を抑制でき、それらにより少エネを図ることが可能となり、集合住宅としての商品価値も高めることが可能となる。
【００１７】
次に、図１５に示す実施の形態について説明する。
図１５に示す実施の形態では、図２、図３に示すように、耐震補強用骨組１２は既存建物１０の正面１０Ａに沿わせて構築され、耐震補強用骨組１２は正面１０Ａに位置する複数の柱に対向する箇所に設けられ補強用柱１４と、正面１０Ａに位置する複数の梁に対向する箇所に設けられた補強用梁１６とで構成され、あるいは、斜材１８を含んで構成されている。
そして、対向する補強用柱１４の間でそれぞれ正面１０Ａに面する各部屋に、太陽光や天空光などの昼光を反射させて導き、照明光として利用するライトシェルフ５０が配置されている。
ライトシェルフ５０は、ガラス板（窓）４０の上縁から下がった箇所に配置され、上面が反射面として形成されている。
ライトシェルフ５０は、反射面を上方に向け昼光を部屋に導く使用位置と、反射面を部屋側に向け昼光の部屋内への侵入を阻止する非使用位置との間で傾動調節可能に設けられている。
図１５に示す実施の形態では、環境改善装置は、ライトシェルフ５０を含んで構成されている。
【００１８】
従来、昼光を照明光として利用するには比較的大きなライトシェルフが必要となり、ライトシェルフ単独で設置する場合には頑強な支持部材が必要となるが、上記の構成によれば、耐震補強用骨組１２の頑強な補強用柱１４や補強用梁１６を利用して設置できるため、簡単に安価に設置できる。
また、ライトシェルフ５０を補強用柱１４や補強用梁１６を介して強固に支持できるため、安定した状態でライトシェルフ５０を設置できる。
したがって、耐震補強と同時に採光設備を設置でき、居住性を向上させ、また、集合住宅としての商品価値も高めることが可能となる。
【符号の説明】
【００１９】
１０……既存建物、１２……耐震補強用骨組、１４……補強用柱、１６……補強用梁、１８……斜材、２４……鋼管柱、３０……ガラスカーテンウォール、３２……ガラス板、３４……空間、４６……載置部、４８……植栽領域、５０……ライトシェルフ。
【図１】
0005627088.tif 000002
【図２】
0005627088.tif 000003
【図３】
0005627088.tif 000004
【図４】
0005627088.tif 000005
【図５】
0005627088.tif 000006
【図６】
0005627088.tif 000007
【図７】
0005627088.tif 000008
【図８】
0005627088.tif 000009
【図９】
0005627088.tif 000010
【図１０】
0005627088.tif 000011
【図１１】
0005627088.tif 000012
【図１２】
0005627088.tif 000013
【図１３】
0005627088.tif 000014
【図１４】
0005627088.tif 000015
【図１５】
0005627088.tif 000016